(57)【特許請求の範囲】
【請求項１】
パッケージであって、
第１の複数の壁構造によって画定された少なくとも１つのコンパートメントを有する第１のトレイであって、前記第１の複数の壁構造は、第１の開口部を画定する、第１のトレイと、
第２の複数の壁構造によって画定された少なくとも１つのコンパートメントを有する第２のトレイであって、前記第２の複数の壁構造は、第２の開口部を画定する、第２のトレイと、
前記第１のトレイおよび前記第２のトレイを接続するヒンジであって、前記ヒンジは、前記第１のトレイおよび前記第２のトレイが、相互に対して開放位置および閉鎖位置に枢動することを可能にするように構成される、ヒンジと、
表示素子と、
を備え、
前記パッケージが前記閉鎖位置にあるとき、前記第１のトレイの少なくとも１つのコンパートメントの第１の開口部は、前記第２のトレイに面するように配向され、前記第２のトレイの少なくとも１つのコンパートメントの第２の開口部は、前記第１のトレイに面するように配向され、
前記パッケージが前記閉鎖位置にあるとき、前記表示素子は、前記パッケージの内部部分内において前記第１のトレイと前記第２のトレイとの間に位置付けられ、
前記表示素子は、物品を位置付けるように構成される少なくとも１つの構造と、前記少なくとも１つの構造を形成するために除去されるように構成される少なくとも１つの穿孔付き領域とを備える、パッケージ。
【請求項２】
前記第１のトレイは、第１の停止表面および第２の停止表面を備え、前記第２のトレイは、第３の停止表面および第４の停止表面を備える、請求項１に記載のパッケージ。
【請求項３】
前記表示素子は、前記表示素子が前記第１のトレイと前記第２のトレイとの間に位置付けられると、前記表示素子の第１の端部が前記第１のトレイの第１の停止表面および前記第２のトレイの第３の停止表面に当接し、前記表示素子の第２の端部が前記第１のトレイの第２の停止表面および前記第２のトレイの第４の停止表面に当接するように、第１の端部および第２の端部を備える、請求項２に記載のパッケージ。
【請求項４】
前記第１の停止表面、前記第２の停止表面、前記第３の停止表面、および前記第４の停止表面は、第１の方向における前記表示素子の移動を実質的に防止する、請求項３に記載のパッケージ。
【請求項５】
前記第１の停止表面、前記第２の停止表面、前記第３の停止表面、および前記第４の停止表面のうちの少なくとも１つは、弧状形状を備える、請求項３に記載のパッケージ。
【請求項６】
前記第１のトレイは、物品を位置付けるための別個の空洞を提供する複数のコンパートメントを備える、請求項１に記載のパッケージ。
【請求項７】
前記第１のトレイは、５つのコンパートメントを備え、前記第２のトレイは、単一コンパートメントを備える、請求項１に記載のパッケージ。
【請求項８】
第２のコンパートメントが、前記パッケージの内容物に関する情報を位置付けるための構造を提供し、前記情報は、発送先住所、宛名人情報、受取人識別、内容物識別、宣伝材料、追跡情報、製品情報、物品情報、および日付情報のうちの少なくとも１つを備える、請求項１に記載のパッケージ。
【請求項９】
前記少なくとも１つの構造は、陥凹を備える、請求項１に記載のパッケージ。
【請求項１０】
前記第１のトレイはさらに、前記第１のトレイの外部表面上に少なくとも１つの突出部を備え、
前記第２のトレイはさらに、前記第２のトレイの外部表面上に少なくとも１つの陥凹を備え、前記少なくとも１つの突出部および前記少なくとも１つの陥凹は、前記少なくとも１つの突出部が前記少なくとも１つの陥凹と噛合するよう構成されるように、相補的形状を備える、請求項１に記載のパッケージ。
【請求項１１】
前記第１のトレイはさらに、前記第１のトレイの外部表面上に少なくとも１つの陥凹を備え、前記第２のトレイはさらに、前記第２のトレイの外部表面上に少なくとも１つの突出部を備え、前記少なくとも１つの突出部および前記少なくとも１つの陥凹は、前記少なくとも１つの突出部が前記少なくとも１つの陥凹と噛合するよう構成されるように、相補的形状を備える、請求項１に記載のパッケージ。
【請求項１２】
前記第１のトレイの少なくとも１つのコンパートメントの側壁構造は、第１の断面形状を備え、前記表示素子の上部表面は、前記第１のトレイの少なくとも１つのコンパートメントの側壁構造が、第２の方向における前記表示素子の移動を実質的に防止するように、前記第１の断面形状と相補的である第３の断面形状を備える、請求項１に記載のパッケージ。
【請求項１３】
前記第２のトレイの少なくとも１つのコンパートメントの側壁構造は、第２の断面形状を備え、前記表示素子の底部表面は、前記第２のトレイの少なくとも１つのコンパートメントの側壁構造が、第２の方向における前記表示素子の移動を実質的に防止するように、前記第２の断面形状と相補的である第４の断面形状を備える、請求項１に記載のパッケージ。
【請求項１４】
パッケージであって、
第１の停止表面および第２の停止表面を備える第１のトレイであって、前記第１のトレイは、第１の複数の壁構造によって画定された少なくとも１つのコンパートメントを有し、前記第１の複数の壁構造は、第１の開口部を画定する、第１のトレイと、
第３の停止表面および第４の停止表面を備える第２のトレイであって、前記第２のトレイは、第２の複数の壁構造によって画定された少なくとも１つのコンパートメントを有し、前記第２の複数の壁構造は、第２の開口部を画定する、第２のトレイと、
前記第１のトレイおよび前記第２のトレイを接続するヒンジと、
第１の端部および第２の端部を備える表示素子であって、前記表示素子は、前記第１の端部が前記第１の停止表面および第３の停止表面に当接し、前記第２の端部が前記第２の停止表面および前記第４の停止表面に当接するように、前記パッケージの内部部分内において前記第１のトレイと前記第２のトレイとの間に位置付けられ、前記表示素子は、物品を位置付けるように構成される少なくとも１つの構造と、前記少なくとも１つの構造を形成するために除去されるように構成される少なくとも１つの穿孔付き領域とを備える、表示素子と、
を備える、パッケージ。
【請求項１５】
前記第１の停止表面、前記第２の停止表面、前記第３の停止表面、および前記第４の停止表面は、第１の方向における前記表示素子の移動を実質的に防止する、請求項１４に記載のパッケージ。
【請求項１６】
前記少なくとも１つの構造は、陥凹を備える、請求項１４に記載のパッケージ。
【発明の詳細な説明】
【技術分野】
【０００１】
（関連出願の相互参照）
本願は、２０１５年５月１日に出願され“Ｐａｃｋａｇｅ”と題された米国仮特許出願第６２／１５５，８８８号に対する優先権を主張するものである。米国仮特許出願第６２／１５５，８８８号の全体の開示は、本明細書中に完全に開示されているのと同然にその全体が参照により本明細書中に援用される。
【０００２】
本発明は、概して、包装の分野に関し、特に、物品または複数の物品の包装に関する。
【背景技術】
【０００３】
消費者は、遠隔方法を介して、例えば、インターネット上での買物によって、物品または商品をより頻繁に購入するようになっている。企業もまた、遠隔販売を介したより多くのサービスおよび商品を提供しており、それに応じて、遠隔物理的場所を介した異なるサービスまたは商品のそのような販売に関連する取引を履行しなければならない。消費者が物品または商品と同一の物理的場所に存在することなく生じる取引の数の増加に伴って、注文の履行および物品または商品の発送は、取引のますます重要な部分となっている。
【０００４】
いくつかの物品または商品に関して、段ボール箱および梱包材等の従来の包装および方法は、ある物品または商品を発送するために十分であり得る。従来のパッケージは、多くの場合、ある物品、例えば、特殊なカスタム製品の発送には、不適切であり得る。ある場合には、包装は、多くの場合、発送プロセスの結果論であって、注文履行プロセスに統合されていない。加えて、従来のパッケージは、多くの場合、製品情報または発送情報等のある情報を表示するために、望ましい位置の数が限定され得る。
【０００５】
本説明の種々の実施形態は、そのような懸念およびその他に対処することによって、物品または複数の物品を搬送するために利用される包装を改良することを対象とする。
【発明の概要】
【課題を解決するための手段】
【０００６】
本特許において使用される、用語「本発明（ｉｎｖｅｎｔｉｏｎ、ｔｈｅ  ｉｎｖｅｎｔｉｏｎ、ｔｈｉｓ  ｉｎｖｅｎｔｉｏｎ、およびｔｈｅ  ｐｒｅｓｅｎｔ  ｉｎｖｅｎｔｉｏｎ）」は、広義には、以下の本特許の主題の全てを指すことを意図している。これらの用語を含有する陳述は、本明細書に説明される主題を限定する、または以下の特許の意味もしくは範囲を限定するものと理解されるべきではない。本概要は、本発明の種々の側面の大まかな概要であって、以下の発明を実施するための形態の節にさらに説明される概念のうちのいくつかを導入する。本概要は、説明される主題の重要または不可欠な特徴を識別することを意図するものではなく、また、説明される主題の範囲を判定するために分離して使用されることを意図するものでもない。本主題は、本特許の明細書全体の適切な部分および任意または全ての図面を参照することによって理解されるべきである。
【０００７】
本明細書に説明されるのは、物品または複数の物品を輸送するために使用されるパッケージのいくつかの実施形態である。本明細書に説明されるパッケージのいくつかの実施形態は、パッケージ内の他の内容物およびパッケージの発送の間に印加され得る外力からのパッケージ内に位置付けられる物品のためのさらなる保護を提供することができる。本明細書に説明されるパッケージのいくつかの実施形態は、パッケージ内に位置付けられる物品の処理、製造、および発送を促進する、パッケージを提供することができる。
【０００８】
いくつかの実施形態では、パッケージは、複数の壁によって画定された少なくとも１つのコンパートメントを有する第１のトレイと、複数の壁によって画定されたコンパートメントを有する第２のトレイと、第１のトレイおよび第２のトレイが相互に対して開放位置および閉鎖位置に枢動することを可能にする、第１のトレイおよび第２のトレイを接続するヒンジとを備える。第１のトレイの少なくとも１つのコンパートメントを画定する複数の側壁は、少なくとも１つのコンパートメント毎にパッケージの内部に面する開口部を画定する。第２のトレイのコンパートメントを画定する複数の側壁は、パッケージの内部に面したコンパートメントの開口部を画定する。少なくとも１つのコンパートメントは、発送プロセスの間、物品または複数の物品を位置付けるために使用されることができる。いくつかの実施形態では、第２のトレイのコンパートメントは、パッケージの内容物に関連する情報を位置付けるために使用されることができる。
【０００９】
いくつかの実施形態では、パッケージは、第１のトレイと、第２のトレイと、ヒンジと、表示素子とを備える。第１のトレイは、第１の複数の壁構造によって画定された少なくとも１つのコンパートメントを含むことができ、複数の壁構造は、第１の開口部を画定する。第２のトレイは、第２の複数の壁構造によって画定された少なくとも１つのコンパートメントを有することができ、複数の壁構造は、第２の開口部を画定する。ヒンジは、第１のトレイおよび第２のトレイを接続し、第１のトレイおよび第２のトレイが相互に対して開放位置および閉鎖位置に枢動することを可能にするように構成されることができる。パッケージが閉鎖位置にあるとき、第１のトレイの少なくとも１つのコンパートメントの第１の開口部は、第２のトレイに面するように配向され、第２のトレイの少なくとも１つのコンパートメントの第２の開口部は、第１のトレイに面するように配向される。パッケージが閉鎖位置にあるとき、表示素子は、パッケージの内部部分内において第１のトレイと第２のトレイとの間に位置付けられることができる。
【００１０】
いくつかの実施形態では、パッケージは、第１のトレイと、第２のトレイと、ヒンジと、表示素子とを備える。第１のトレイは、第１の停止表面および第２の停止表面を備える。第１のトレイは、第１の複数の壁構造によって画定された少なくとも１つのコンパートメントを含むことができ、複数の壁構造は、第１の開口部を画定する。第２のトレイは、第３の停止表面および第４の停止表面を備える。第２のトレイは、第２の複数の壁構造によって画定された少なくとも１つのコンパートメントを有することができ、複数の壁構造は、第２の開口部を画定する。ヒンジは、第１のトレイおよび第２のトレイを接続する。表示素子は、パッケージの内部部分内において第１のトレイと第２のトレイとの間に位置付けられることができる。表示素子は、第１の端部および第２の端部を含むことができる。表示素子の第１の端部は、第１のトレイの第１の停止表面および第２のトレイの第３の停止表面に当接することができ、表示素子の第２の端部は、第１のトレイの第２の停止表面および第２のトレイの第４の停止表面に当接することができる。
【００１１】
これらの例証的側面および実施形態は、本発明を限定または定義することを意味するものではなく、本願に開示される本発明の概念の理解を補助するための実施例を提供する。本発明の他の側面、利点、および特徴は、本願全体の精査後、明白となるであろう。
本明細書は、例えば、以下の項目も提供する。
（項目１）
パッケージであって、
第１の複数の壁構造によって画定された少なくとも１つのコンパートメントを有する第１のトレイであって、前記第１の複数の壁構造は、第１の開口部を画定する、第１のトレイと、
第２の複数の壁構造によって画定された少なくとも１つのコンパートメントを有する第２のトレイであって、前記第２の複数の壁構造は、第２の開口部を画定する、第２のトレイと、
前記第１のトレイおよび前記第２のトレイを接続するヒンジであって、前記ヒンジは、前記第１のトレイおよび前記第２のトレイが、相互に対して開放位置および閉鎖位置に枢動することを可能にするように構成される、ヒンジと、
表示素子と、
を備え、
前記パッケージが前記閉鎖位置にあるとき、前記第１のトレイの少なくとも１つのコンパートメントの第１の開口部は、前記第２のトレイに面するように配向され、前記第２のトレイの少なくとも１つのコンパートメントの第２の開口部は、前記第１のトレイに面するように配向され、
前記パッケージが前記閉鎖位置にあるとき、前記表示素子は、前記パッケージの内部部分内において前記第１のトレイと前記第２のトレイとの間に位置付けられる、
パッケージ。
（項目２）
前記第１のトレイは、第１の停止表面および第２の停止表面を備え、前記第２のトレイは、第３の停止表面および第４の停止表面を備える、項目１に記載のパッケージ。
（項目３）
前記表示素子は、前記表示素子が前記第１のトレイと前記第２のトレイとの間に位置付けられると、前記表示素子の第１の端部が前記第１のトレイの第１の停止表面および前記第２のトレイの第３の停止表面に当接し、前記表示素子の第２の端部が前記第１のトレイの第２の停止表面および前記第２のトレイの第４の停止表面に当接するように、第１の端部および第２の端部を備える、項目２に記載のパッケージ。
（項目４）
前記第１の停止表面、前記第２の停止表面、前記第３の停止表面、および前記第４の停止表面は、第１の方向における前記表示素子の移動を実質的に防止する、項目３に記載のパッケージ。
（項目５）
前記第１の停止表面、前記第２の停止表面、前記第３の停止表面、および前記第４の停止表面のうちの少なくとも１つは、弧状形状を備える、項目３に記載のパッケージ。
（項目６）
前記第１のトレイは、物品を位置付けるための別個の空洞を提供する複数のコンパートメントを備える、項目１に記載のパッケージ。
（項目７）
前記第１のトレイは、５つのコンパートメントを備え、前記第２のトレイは、単一コンパートメントを備える、項目１に記載のパッケージ。
（項目８）
第２のコンパートメントが、前記パッケージの内容物に関する情報を位置付けるための構造を提供し、前記情報は、発送先住所、宛名人情報、受取人識別、内容物識別、宣伝材料、追跡情報、製品情報、物品情報、および日付情報のうちの少なくとも１つを備える、項目１に記載のパッケージ。
（項目９）
前記表示素子は、物品を位置付けるように構成される、少なくとも１つの構造を備える、項目１に記載のパッケージ。
（項目１０）
前記少なくとも１つの構造は、陥凹を備える、項目９に記載のパッケージ。
（項目１１）
前記表示素子は、前記少なくとも１つの構造を形成するために除去されるように構成される、少なくとも１つの穿孔付き領域を備える、項目９に記載のパッケージ。
（項目１２）
前記第１のトレイはさらに、前記第１のトレイの外部表面上に少なくとも１つの突出部を備え、
前記第２のトレイはさらに、前記第２のトレイの外部表面上に少なくとも１つの陥凹を備え、前記少なくとも１つの突出部および前記少なくとも１つの陥凹は、前記少なくとも１つの突出部が前記少なくとも１つの陥凹と噛合するよう構成されるように、相補的形状を備える、項目１に記載のパッケージ。
（項目１３）
前記第１のトレイはさらに、前記第１のトレイの外部表面上に少なくとも１つの陥凹を備え、前記第２のトレイはさらに、前記第２のトレイの外部表面上に少なくとも１つの突出部を備え、前記少なくとも１つの突出部および前記少なくとも１つの陥凹は、前記少なくとも１つの突出部が前記少なくとも１つの陥凹と噛合するよう構成されるように、相補的形状を備える、項目１に記載のパッケージ。
（項目１４）
前記第１のトレイの少なくとも１つのコンパートメントの側壁構造は、第１の断面形状を備え、前記表示素子の上部表面は、前記第１のトレイの少なくとも１つのコンパートメントの側壁構造が、第２の方向における前記表示素子の移動を実質的に防止するように、前記第１の断面形状と相補的である第３の断面形状を備える、項目１に記載のパッケージ。
（項目１５）
前記第２のトレイの少なくとも１つのコンパートメントの側壁構造は、第２の断面形状を備え、前記表示素子の底部表面は、前記第２のトレイの少なくとも１つのコンパートメントの側壁構造が、第２の方向における前記表示素子の移動を実質的に防止するように、前記第２の断面形状と相補的である第４の断面形状を備える、項目１に記載のパッケージ。
（項目１６）
パッケージであって、
第１の停止表面および第２の停止表面を備える第１のトレイであって、前記第１のトレイは、第１の複数の壁構造によって画定された少なくとも１つのコンパートメントを有し、前記第１の複数の壁構造は、第１の開口部を画定する、第１のトレイと、
第３の停止表面および第４の停止表面を備える第２のトレイであって、前記第２のトレイは、第２の複数の壁構造によって画定された少なくとも１つのコンパートメントを有し、前記第２の複数の壁構造は、第２の開口部を画定する、第２のトレイと、
前記第１のトレイおよび前記第２のトレイを接続するヒンジと、
第１の端部および第２の端部を備える表示素子であって、前記表示素子は、前記第１の端部が前記第１の停止表面および第３の停止表面に当接し、前記第２の端部が前記第２の停止表面および前記第４の停止表面に当接するように、前記パッケージの内部部分内において前記第１のトレイと前記第２のトレイとの間に位置付けられる、表示素子と、
を備える、パッケージ。
（項目１７）
前記第１の停止表面、前記第２の停止表面、前記第３の停止表面、および前記第４の停止表面は、第１の方向における前記表示素子の移動を実質的に防止する、項目１６に記載のパッケージ。
（項目１８）
前記表示素子は、物品を位置付けるように構成される少なくとも１つの構造を備える、項目１６に記載のパッケージ。
（項目１９）
前記少なくとも１つの構造は、陥凹を備える、項目１８に記載のパッケージ。
（項目２０）
前記表示素子は、前記少なくとも１つの構造を形成するために除去されるように構成される少なくとも１つの穿孔付き領域を備える、項目１８に記載のパッケージ。
【図面の簡単な説明】
【００１２】
【図１】図１は、本発明の一実施形態による、閉鎖構成におけるパッケージの上部斜視図である。
【００１３】
【図２】図２は、本発明の一実施形態による、図１に示されるパッケージの底面図である。
【００１４】
【図３】図３は、本発明の一実施形態による、図１に示されるパッケージの側面立面図である。
【００１５】
【図４】図４は、本発明の一実施形態による、開放構成におけるパッケージの上部斜視図である。
【００１６】
【図５】図５は、本発明の一実施形態による、開放構成におけるパッケージの上部斜視図である。
【００１７】
【図６】図６は、本発明の一実施形態による、閉鎖構成における図５に示されるパッケージの上部斜視図である。
【００１８】
【図７】図７は、本発明の一実施形態による、パッケージの側面立面図である。
【００１９】
【図８】図８は、本発明の一実施形態による、パッケージの上面図である。
【００２０】
【図９】図９は、本発明の一実施形態による、表示素子の上部斜視図である。
【００２１】
【図１０】図１０は、本発明の一実施形態による、表示素子の上部斜視図である。
【発明を実施するための形態】
【００２２】
本発明のある側面および実施形態は、包装に関し、特に、物品または複数の物品のための包装に関する。本明細書に説明されるパッケージのいくつかの実施形態は、パッケージ内の他の内容物および発送プロセスの間に印加され得る外力からのパッケージ内に位置付けられる物品のためのさらなる保護を提供することができる。本明細書に説明されるパッケージのいくつかの実施形態は、パッケージ内に位置付けられる物品の処理、製造、および発送を促進する、パッケージを提供することができる。
【００２３】
いくつかの実施形態では、パッケージは、複数の壁によって画定された少なくとも１つのコンパートメントを有する第１のトレイと、複数の壁によって画定されたコンパートメントを有する第２のトレイと、第１のトレイおよび第２のトレイが相互に対して開放位置および閉鎖位置に枢動することを可能にする、第１のトレイおよび第２のトレイを接続するヒンジとを備える。第１のトレイの少なくとも１つのコンパートメントを画定する複数の側壁は、少なくとも１つのコンパートメント毎にパッケージの内部に面する開口部を画定する。第２のトレイのコンパートメントを画定する複数の側壁は、パッケージの内部に面するコンパートメントの開口部を画定する。少なくとも１つのコンパートメントは、発送プロセスの間、物品または複数の物品を位置付けるために使用されることができる。
【００２４】
いくつかの実施形態では、パッケージは、第１のトレイと、第２のトレイと、ヒンジと、表示素子とを備える。第１のトレイは、第１の停止表面および第２の停止表面を備える。第１のトレイは、第１の複数の壁構造によって画定された少なくとも１つのコンパートメントを含むことができ、複数の壁構造は、第１の開口部を画定する。第２のトレイは、第３の停止表面および第４の停止表面を備える。第２のトレイは、第２の複数の壁構造によって画定された少なくとも１つのコンパートメントを有することができ、複数の壁構造は、第２の開口部を画定する。ヒンジは、第１のトレイおよび第２のトレイを接続する。表示素子は、パッケージの内部部分内において第１のトレイと第２のトレイとの間に位置付けられることができる。表示素子は、第１の端部および第２の端部を含むことができる。表示素子の第１の端部は、第１のトレイの第１の停止表面および第２のトレイの第３の停止表面に当接することができ、表示素子の第２の端部は、第１のトレイの第２の停止表面および第２のトレイの第４の停止表面に当接することができる。
【００２５】
いくつかの実施形態では、パッケージは、第１のトレイと、第２のトレイと、ヒンジと、表示素子とを備える。第１のトレイは、第１の複数の壁構造によって画定された少なくとも１つのコンパートメントを含むことができ、第１の複数の壁構造は、第１の開口部を画定する。第２のトレイは、第２の複数の壁構造によって画定された少なくとも１つのコンパートメントを有することができ、第２の複数の壁構造は、第２の開口部を画定する。ヒンジは、第１のトレイおよび第２のトレイを接続し、第１のトレイおよび第２のトレイが相互に対して開放位置および閉鎖位置に枢動することを可能にするように構成されることができる。パッケージが閉鎖位置にあるとき、第１のトレイの少なくとも１つのコンパートメントの第１の開口部は、第２のトレイに面するように配向され、第２のトレイの少なくとも１つのコンパートメントの第２の開口部は、第１のトレイに面するように配向される。パッケージが閉鎖位置にあるとき、表示素子は、パッケージの内部部分内において第１のトレイと第２のトレイとの間に位置付けられることができる。いくつかの実施形態では、第１のトレイは、第１の停止表面および第２の停止表面を備え、第２のトレイは、第３の停止表面および第４の停止表面を備える。いくつかのそのような実施形態では、表示素子は、表示素子が第１のトレイと第２のトレイとの間に位置付けられると、表示素子の第１の端部が第１のトレイの第１の停止表面および第２のトレイの第３の停止表面に当接し、表示素子の第２の端部が第１のトレイの第２の停止表面および第２のトレイの第４の停止表面に当接するように、第１の端部および第２の端部を備える。
【００２６】
いくつかの実施形態では、第１の停止表面、第２の停止表面、第３の停止表面、および第４の停止表面は、第１の方向における表示素子の移動を実質的に防止する。第１の方向は、例えば、側方移動であることができる。いくつかの実施形態では、第１の停止表面、第２の停止表面、第３の停止表面、および第４の停止表面のうちの少なくとも１つは、弧状形状を備える。
【００２７】
いくつかの実施形態では、第１のトレイの少なくとも１つのコンパートメントの開口部および第２のトレイの少なくとも１つのコンパートメントの開口部は、空洞を画定する。いくつかの実施形態では、パッケージの第１のトレイは、弧状構造を含む。いくつかの実施形態では、弧状構造は、第１のトレイ内の複数のコンパートメント間に延在する。弧状構造は、上部表面を提供し、表示素子または物品を位置付けるための伸長コンパートメントを画定することができる。表示素子は、上部表面および底部表面を備えることができる。いくつかの側面では、上部表面および底部表面のうちの少なくとも１つは、相補的形状、例えば、弧状形状を備えることができる。いくつかの実施形態では、表示素子は、第１のトレイ内の複数のコンパートメント間に延在する弧状構造内に位置付けられることができる。
【００２８】
いくつかの実施形態では、第１のトレイの少なくとも１つのコンパートメントの側壁構造は、第１の断面形状を備え、表示素子の上部表面は、第１の断面形状と相補的である、第３の断面形状を備える。第１のトレイの少なくとも１つのコンパートメントの側壁構造は、第２の方向、例えば、垂直方向および／または横方向における表示素子の移動を実質的に防止する。いくつかの実施形態では、第２のトレイの少なくとも１つのコンパートメントの側壁構造は、第２の断面形状を備え、表示素子の底部表面は、第２の断面形状と相補的である、第４の断面形状を備える。第２のトレイの少なくとも１つのコンパートメントの側壁構造は、第２の方向、例えば、垂直方向および／または横方向における表示素子の移動を実質的に防止する。
【００２９】
いくつかの実施形態では、表示素子は、少なくとも１つの物品を表示するように構成される。表示素子は、物品を位置付けるための少なくとも１つの構造を含むことができる。例えば、少なくとも１つの構造は、陥凹を備えることができる。いくつかの実施形態では、表示素子は、その少なくとも１つの構造を形成するために除去されるように構成される、少なくとも１つの穿孔付き領域を備える。
【００３０】
いくつかの実施形態では、第１のトレイは、複数のコンパートメントを備える。いくつかの実施形態では、第１のトレイは、５つのコンパートメントを備える。他の実施形態では、任意の数のコンパートメントが、含まれることができ、例えば、１つ、２つ、３つ、４つ、６つ、または７つ、もしくはそれを上回る。いくつかの実施形態では、複数のコンパートメントは、画定された距離だけ離して位置付けられる。複数のコンパートメントは、物品を位置付けるための別個の空洞を提供することができる。
【００３１】
いくつかの実施形態では、第２のトレイは、単一コンパートメントを備える。他の実施形態では、任意の数のコンパートメントが、含まれることができ、例えば、２つ、３つ、４つ、５つ、６つ、または７つ、もしくはそれを上回る。
【００３２】
いくつかの実施形態では、少なくとも１つのコンパートメントは、コンパートメント内に位置付けられることになる物品を上回る、寸法を備える。いくつかのそのような実施形態では、コンパートメントは、コンパートメント内に位置付けられる物品がコンパートメントの外部表面に接触することを防止する、構造を提供することができる。例えば、物品が表示素子を中心として位置付けられ、側方に、横方向に、または垂直に実質的に移動することができないとき、物品は、パッケージ内に存在する間、実質的に定常位置に留まる。
【００３３】
いくつかの実施形態では、第２のトレイのコンパートメントは、パッケージまたはパッケージ内の物品に関連する情報を表示するための構造を提供することができる。例えば、発送先住所、宛名人情報、受取人識別、内容物識別、宣伝材料、追跡情報、製品情報、物品情報、日付情報、または他の発送情報のうちの少なくとも１つが、第２のトレイのコンパートメント内に含まれることができる。いくつかの実施形態では、第２のトレイは、透明である。いくつかのそのような実施形態では、第２のトレイのコンパートメント内に含まれる情報は、パッケージを開放する必要なく、観察者に可視となることができる。
【００３４】
いくつかの実施形態では、第１のトレイは、少なくとも１つの突出部を含むことができる。突出部は、複数のパッケージ内におけるパッケージの位置付けを促進するための構造を提供することができる。いくつかの実施形態では、第２のトレイは、少なくとも１つの陥凹を含むことができる。陥凹は、突出部が第２のトレイの陥凹と噛合し、複数のパッケージの積載および位置付けを促進するように、第１のトレイの突出部と相補的な形状であることができる。
【００３５】
いくつかの実施形態では、第２のトレイは、少なくとも１つの突出部を含むことができる。突出部は、複数のパッケージ内におけるパッケージの位置付けを促進するための構造を提供することができる。いくつかの実施形態では、第１のトレイは、少なくとも１つの陥凹を含むことができる。陥凹は、突出部が第１のトレイの陥凹と噛合し、複数のパッケージの積載および位置付けを促進するように、第２のトレイの突出部と相補的な形状であることができる。
【００３６】
パッケージのいくつかの実施形態は、プラスチック材料から作製されることができる。いくつかの実施形態では、パッケージは、ポリ塩化ビニル、ポリプロピレン、ポリエチレン、ポリスチレン、またはタイプポリプロピレン／エチレンビニルアルコール（ＥＶＯＨ）／ポリプロピレン、テレフタル酸ポリエチレン、ポリエチレン／テレフタル酸ポリエチレン、もしくはポリスチレン／ＥＶＯＨ／ポリエチレンの材料の複合物から作製されることができる。いくつかの実施形態では、パッケージは、ポリエチレンを含む。いくつかの実施形態では、パッケージは、ポリプロピレンを含む。いくつかの実施形態では、パッケージは、テレフタル酸ポリエチレンを含む。いくつかの実施形態では、パッケージは、ポリエチレン、ポリプロピレン、およびテレフタル酸ポリエチレンのうちの少なくとも１つから作製されることができる。いくつかの実施形態では、パッケージは、射出成形作業によって作製されることができる。
【００３７】
パッケージのいくつかの実施形態は、天然生体分解性材料、例えば、パルプまたはセルロース材料から作製されることができる。
【００３８】
いくつかの実施形態では、パッケージは、再利用材料から作製されることができる。いくつかの実施形態では、パッケージは、実質的に１００％再利用可能材料を含む。
【００３９】
いくつかの実施形態では、パッケージは、透明材料から構築される。他の実施形態では、パッケージは、不透明材料から構築される。いくつかの実施形態では、図柄または視覚的特徴が、パッケージ上に印刷されることができる。
【００４０】
図を参照すると、各図内で使用される番号は、全ての他の図と一貫する。具体的特徴が、具体的数字を用いてある図において標識されるとき、同一数字が、その具体的特徴を示すとき、他の図でも使用されるであろう。
【００４１】
図１は、第１の閉鎖構成における、パッケージ１の例示的実施形態を示す。パッケージ１は、複数のコンパートメント１１を備える、第１のトレイ１０を含む。各コンパートメント１１は、パッケージ１の内部に配向される開口部を画定する、複数の壁によって画定される。各コンパートメント１１は、少なくとも部分的に、他のコンパートメント１１から分離される。図１では、第１のトレイ１０は、５つのコンパートメントを含む。他の実施形態では、任意の数のコンパートメントが、含まれることができ、例えば、１つ、２つ、３つ、４つ、６つ、または７つ、もしくはそれを上回る。
【００４２】
図１では、複数の突出部１２が、コンパートメント１１のうちの２つ上に示される。突出部１２は、複数のパッケージの位置付けを促進するための構造を提供することができる。突出部１２は、略卵形形状を有する。他の実施形態では、突出部は、他の形状、例えば、円形、正方形、または他の多角形形状を有することができる。
【００４３】
第１のトレイ１０は、第１のトレイ１０の左側に向かって延在する第１の弧状構造１３と、第１のトレイ１０の右側に向かって延在する第２の弧状構造１３とを含む。第１の弧状構造１３は、第１の停止表面を含むことができ、第２の弧状構造１３は、第２の停止表面を含むことができる。図３に示されるように、弧状構造１３は、コンパートメント１１の各々の間に跨架する。弧状構造１３は、第２のトレイ２０の弧状構造２２（図２および３に示される）と併せて、表示素子４０（図５、６、９、および１０に関連して以下にさらに説明される）を保持する、および／または位置付けるための付加的構造を提供する。他の実施形態では、構造は、非弧状形状、例えば、三角形断面形状、長方形断面形状、または他の多角形形状を備えることができる。
【００４４】
第１のトレイ１０の後面または背面縁は、第２のトレイ２０の後面または背面縁に結合され、ヒンジ１４を画定する。第１のトレイ１０は、第２のトレイ２０に対してヒンジ１４の周囲を枢動し、閉鎖位置（例えば、図１に示されるように）と開放位置（例えば、図４に示されるように）との間で回転する。図１におけるヒンジ１４は、第１のトレイおよび第２のトレイと同一の材料から作製される一体型ヒンジである。他の実施形態では、第１のトレイおよび第２のトレイを接続するヒンジは、第１のトレイおよび第２のトレイのそれぞれに接続される離散ヒンジを含むことができる。第１のトレイ１０は、タブ状構造１６を含み、パッケージ１の開放および閉鎖を促進する。
【００４５】
図２は、パッケージ１の底面図を示す。パッケージは、コンパートメント２１を備える、第２のトレイ２０を含む。コンパートメント２１は、パッケージ１の内部に配向される開口部を画定する、複数の壁によって画定される。コンパートメント２１の幅（すなわち、右側から左側までの距離を画定する寸法）は、第２のトレイ２０の幅の半分を上回って跨架する。図２では、１つコンパートメントが、示される。他の実施形態では、第２のトレイは、例えば、図７に示されるように、複数のコンパートメントを含むことができる。
【００４６】
コンパートメント２１は、パッケージ内またはパッケージ上における情報の含有を促進するための表面を提供することができる。例えば、パッケージ１が透明材料から構築される実施形態では、製品情報および発送情報が、コンパートメント２１内に含まれることができる。情報は、パッケージの内部において取り付けられていない紙の形態（ｌｏｏｓｅ  ｐａｐｅｒ  ｆｏｒｍ）で提供され（すなわち、パッケージ１に接着されない）、パッケージ１が閉鎖位置にあるとき、例えば、発送情報または顧客識別等の情報が可視であるような方向に配向されることができる。パッケージの内側において取り付けられていない形態における情報を含むことによって、パッケージ１は、パッケージ上に添着するために接着剤または他の破壊的固定が情報が要求されないため、後続発送のためにより容易に再使用され得る。コンパートメント２１は、加えて、コンパートメント内の情報の移動を限定することによって実質的に固着される、他の物体をパッケージの内側に含むためのコンパートメントを提供することができる。いくつかの実施形態では、情報は、コンパートメント２１におよびその中に接着または別様に添着されることができる。
【００４７】
図２では、複数の陥凹２３が、コンパートメント２１上に示される。陥凹２３は、複数のパッケージの位置付けを促進するための構造を提供することができる。陥凹２３は、略卵形形状を有する。他の実施形態では、陥凹は、他の形状、例えば、円形、正方形、または他の多角形形状を有することができる。第１のトレイ１０の突出部１２は、第２のトレイ２０の相補的陥凹２３と整合および噛合し、複数のパッケージの保管および積載を促進することができる。
【００４８】
前述のように、第２のトレイ２０は、第２のトレイ２０の左側に向かって延在する第１の弧状構造２２と、第２のトレイ２０の右側に向かって延在する第２の弧状構造２２とを含む。第１の弧状構造２２は、第３の停止表面を含むことができ、第２の弧状構造２２は、第４の停止表面を含むことができる。弧状構造２２は、第１のトレイ１０の弧状構造１３（図１および３に示される）と併せて、表示素子４０（図５、６、９、および１０に関連して以下にさらに説明される）を保持する、および／または位置付けるための付加的構造を提供する。他の実施形態では、構造は、非弧状形状、例えば、三角形断面形状、長方形断面形状、または他の多角形形状を備えることができる。
【００４９】
第２のトレイ２０は、タブ状構造１５を含み、パッケージ１の開放および閉鎖を促進する。
【００５０】
図３は、パッケージ１の正面立面図を示す。複数のコンパートメント１１の全幅は、コンパートメント２１の全幅と実質的に同一である。他の実施形態では、第１のトレイ内の複数のコンパートメントの全幅は、第２のトレイ内のコンパートメントの全幅と実質的に同一ではない。各コンパートメント１１は、複数の壁によって画定される。第１のトレイ１０の左側に近接して位置付けられるコンパートメント１１を参照すると、複数の壁は、第１の側壁３３と、第２の側壁３２と、正面壁３４と、上面壁３１と、背面壁（図３では不可視であるが、正面壁３４の鏡像である）とを含む。当業者は、複数のコンパートメント１１がそれぞれ、コンパートメント１１のそれぞれの個別の開口部を画定するための類似の複数の壁を含むことを理解するであろう。
【００５１】
弧状構造１３は、コンパートメント１１の各々の間に延在し、表示素子４０を保持する、および／または位置付けるためのコンパートメントの上側境界を画定する。コンパートメント１１のうちの少なくとも１つを画定する側壁のうちの少なくとも１つは、内部端部において第１の断面形状を含むことができる。いくつかのそのような実施形態では、表示素子４０の上部表面は、第１のトレイの少なくとも１つのコンパートメントの少なくとも１つの側壁構造が、横および／または垂直方向における表示素子の移動を実質的に防止するように、第１の断面形状と相補的である第３の断面形状を備えることができる。
【００５２】
コンパートメント２１は、複数の壁によって画定される。複数の壁は、第１の側壁３５と、第２の側壁３６と、正面壁３７と、底面壁３８と、背面壁（図３には示されないが、正面壁３７の鏡像である）とを含む。コンパートメント２１を画定する側壁のうちの少なくとも１つは、内部端部において第２の断面形状を含むことができる。いくつかのそのような実施形態では、表示素子４０の上部表面は、第２のトレイの少なくとも１つのコンパートメントの少なくとも１つの側壁構造が、横および／または垂直方向における表示素子の移動を実質的に防止するように、第１の断面形状と相補的である第３の断面形状を備えることができる。
【００５３】
図４は、開放構成における、パッケージ１を示す。第１のトレイ１０は、ヒンジ１４によって、第２のトレイ２０に結合される。図４に示されるように、コンパートメント１１はそれぞれ、弧状構造１３の形状と整合する弧状形状の底部部分を有する、側壁を含む。図５に示されるように、コンパートメント１１の側壁の弧状形状の底部部分は、相補的形状を有する表示素子４０が、パッケージ１内に着座されることを可能にする。表示素子４０は、枕状形状を有する。他の実施形態では、表示素子は、異なる形状、例えば、三角形形状または長方形形状、もしくは他の多角形形状を備えてもよい。そのような実施形態では、コンパートメントの側壁の底部の構成および形状は、表示素子の形状を補完するように修正されることができる。
【００５４】
表示素子４０は、第２のトレイ２０の弧状構造２２および第１のトレイ１０の弧状構造１３によって画定された停止表面によって、側方方向に除去可能に固着される（パッケージが閉鎖位置にあるとき）。第２のトレイ内の表示素子４０の任意の側方移動は、表示素子４０の第１の端部１４２および第２の端部１４１が（図９に示されるように）が弧状構造１３ならびに弧状構造２２の第１の停止表面、第２の停止表面、第３の停止表面、および第４の停止表面のうちの少なくとも１つに当接するため、最小限にされる、または排除される。本明細書で使用される用語「当接する」は、別の表面に触れる、それに接触する、もしくはその上にもたれる、および／または別の表面に隣接し、別の表面に当接もしくは実質的に当接する表面を含み得る、表面または構造を指す。図９は、第１の端部１４２および第２の端部１４１を有する、表示素子４０の実施例を示す。図９は、以下にさらに説明される。
【００５５】
図６では、パッケージ１は、閉鎖構成に示される。表示素子４０は、パッケージ１内に除去可能に固着される。弧状構造１３は、弧状構造１３の第１の停止表面および第２の停止表面によって、第１のトレイ内の表示素子４０の任意の側方移動を最小限にする、または排除するための構造を提供する。少なくとも１つのコンパートメント１１の少なくとも１つの側壁は、表示素子４０の任意の垂直移動または横移動を最小限にする、もしくは排除するための構造を提供し得る、弧状構造１３を画定するための構造を提供することができる。
【００５６】
表示素子４０が、図６に示されるように位置付けられると、表示素子４０は、パッケージ内を浮動する、またはその中に懸架されているような視覚的効果を提供する。表示素子４０は、物品または複数の物品が、コンパートメント１１のそれぞれ内において、表示のための表示素子４０の周囲に位置付けられることができる、構造を提供する。例えば（さらに図１０に示されるように）、ブレスレットまたは腕時計が、表示素子の周囲に位置付けられ、少なくとも１つのコンパートメント１１と整合されることができる。表示素子４０の位置がパッケージ内に懸架されると、コンパートメント１１のうちの１つと整合される、ブレスレットまたは腕時計は、複数のコンパートメント１１を画定する複数の壁のいずれにも当接または接触し得ず、かつコンパートメント２１を画定する複数の壁のいずれにも当接または接触し得ない。コンパートメント１１およびコンパートメント２１を画定する複数の壁の寸法は、ブレスレットもしくは腕時計、または複数のブレスレットもしくは腕時計が、壁のいずれにも当接または接触せず、コンパートメント内に位置付けられることを可能にするために十分な大きさである。本構成は、受取人への製品の処理または発送の間、ブレスレットもしくは腕時計（または他の物品）の破損または損傷に対して保護および防護するために有利であり得る。
【００５７】
図９は、表示素子４０が物品をパッケージ内に位置付けるための少なくとも１つの構造１４４を有することを示す。少なくとも１つの構造１４４は、陥凹である。いくつかの実施形態では、表示素子は、物品の位置付けを促進するための複数の構造を提供するために除去されるように構成される、複数の穿孔付き構造１４３および１４５を含むことができる。図９では、構造のうちの１つのみが、除去されて示されている。構造１４４の位置は、物品１５０（図１０に示されるように）が構造１４４内に位置付けられ、順に、表示素子がパッケージの内部領域内に位置付けられ得るように、図１に示される中心コンパートメント１１に対応することができる。そのような実施形態では、物品１５０は、第１のトレイの中心コンパートメント１１内に位置するであろう。任意の数の構造１４３が、除去される、または表示素子４０上に含まれることができる。
【００５８】
図に戻ると、概して、コンパートメント１１はまた、相互から画定された距離だけ離れて位置付けられ、発送および追跡プロセスを促進する。例えば、複数の物品が、パッケージ１内に含まれることができ、複数の物品はそれぞれ、いくつかのチップまたは他の追跡デバイスを含むことができる。包装および発送プロセスの間、各個々の物品は、異なる機械によって追跡される、または読み取られ、製造もしくは包装プロセスの間の任意の段階において、各物品の場所、情報、および位置を検証することができる。追跡デバイスおよび方法のうちのいくつかは、物品を正確に追跡するための最小分離距離を要求する。本明細書に説明されるパッケージの実施形態による、複数のコンパートメントの位置は、そのような最小分離を確実にすることができる。
【００５９】
図７は、複数のコンパートメント１１を備える第１のトレイ１０と、複数のコンパートメント７１を備える第２のトレイ７０とを有する、別の実施形態を示す。第２のトレイ７０の左側に近接して位置付けられるコンパートメント７１を参照すると、コンパートメント７１を画定する複数の壁は、第１の側壁９３と、第２の側壁９２と、正面壁９４と、上面壁９１と、背面壁（図７では不可視であるが、正面壁９４の鏡像である）とを含む。当業者は、複数のコンパートメント７１がそれぞれ、コンパートメント７１のそれぞれの個別の開口部を画定するための類似の複数の壁を含むことを理解するであろう。第２のトレイ７０のコンパートメント７１は、コンパートメント１１と類似コンパートメントを提供し、物品または複数の物品の包装および発送を促進する。
【００６０】
第２のトレイ７０は、第２のトレイ７０の左側に向かって延在する第１の弧状構造７２と、第２のトレイ７０の右側に向かって延在する第２の弧状構造７２とを含む。第１の弧状構造７２および第２の弧状構造７２は、少なくとも１つの停止表面を含むことができる。弧状構造７２は、コンパートメント７１の各々の間に延在し、表示素子４０を保持する、および／または位置付けるためのコンパートメントの下側境界を画定する。弧状構造７２は、第１のトレイ１３の弧状構造１３と併せて、表示素子４０を保持する、および／または位置付けるための付加的構造を提供する。
【００６１】
図８は、第１のトレイ１００と、第２のトレイ１１０と、第３のトレイ１２０とを備える、別の実施形態を示す。図８に示されるパッケージ１０５は、第１の開放構成にある。第１のトレイ１００は、ヒンジ１０１によって、第２のトレイ１１０に結合される。第２のトレイ１１０は、ヒンジ１０２によって、第３のトレイ１２０に結合される。ヒンジ１０１およびヒンジ１０２はそれぞれ、トレイのそれぞれと同一の可撓性材料から作製される一体型ヒンジである。
【００６２】
第１のトレイ１００は、複数の壁によって画定された複数のコンパートメント１１を含む。第３のトレイ１２０は、複数の壁によって画定されたコンパートメント２１を含む。第２のトレイ１１０は、弧状形状を有する２つの側面端部壁１１２を含む、複数の壁によって画定されたコンパートメント１１１を含む。コンパートメント１１１は、表示素子４０と相補的な形状を有する。当業者は、異なる形状の表示素子および相補的コンパートメントが、本発明の精神から逸脱することなく使用されることができることを理解し得る。
【００６３】
第１のトレイ１００、第２のトレイ１１０、および第３のトレイ１２０はそれぞれ、個別のヒンジ１０１およびヒンジ１０２を中心として相互に対して枢動することができる。第１のトレイ１００は、枢動して、第１のトレイ１００を第２のトレイ１１０の上部に位置付けてもよく、第３のトレイ１２０は、枢動して、第３のトレイ１２０を第２のトレイ１１０下に位置付け、パッケージ１０５を第２の閉鎖構成に構成してもよい。閉鎖構成では、パッケージ１０５は、図１−７に関連して説明されるように、表示素子４０をパッケージの内側に懸架するための構造を提供することができる。
【００６４】
本明細書に説明される実施形態によるパッケージは、従来のパッケージに優る多くの利点および改良を備えることができる。いくつかの実施形態では、パッケージは、パッケージ内に位置付けられる間、複数の物品を相互に接触させずに分離する、複数のコンパートメントを提供することができる。いくつかの実施形態では、パッケージは、物品が、トレイの外側境界に接触することを回避し、パッケージ内に懸架される、またはその中で浮動することを可能にする、コンパートメントを提供することができる。いくつかの実施形態では、パッケージは、パッケージ内の物品の増加された可視性および製品情報の増加された可視性を提供することができる。いくつかの実施形態では、パッケージは、製造プロセスおよび追跡プロセスを促進し得る、設定され、画定された位置に物品を位置付ける、複数のコンパートメントを提供することができる。
【００６５】
いくつかの実施形態では、パッケージは、物品を単一位置に保つが、物品を製品を損傷し得る外力および内力から保護する十分な硬性を有する、簡潔なコンパートメントを提供する。そうすることによって、パッケージは、従来の包装と比較して、過剰な総体積を回避し、すなわち、本明細書に説明されるパッケージの実施形態は、パッケージ内の死空間の量を低減させることができ、ひいては、パッケージの発送と関連付けられたコストを削減し得る。
【００６６】
いくつかの実施形態では、パッケージは、チップまたは他の論理もしくは記憶媒体内に埋設される個人情報を有する、物品を含むことができる。例えば、クレジットカード情報、登録番号、または他の識別個人情報が、ブレスレット等の物品上に含まれてもよい。本明細書に説明されるパッケージのいくつかの実施形態を使用した製造および包装プロセスは、物品への本個人情報の追加を促進し、配慮を要する個人情報をよりセキュアな方式で含む、物品の位置のより優れた追跡および検証を可能にし得る。
【００６７】
いくつかの実施形態では、パッケージは、物品または複数の物品を定位置に実質的に固着させるため、表示素子は、物品または複数の物品の位置を調節する必要なく、除去され、直接、受取人に提示されることができる。従来のパッケージでは、物品または複数の物品は、発送プロセスの間に偏移し、受取人への提示のために、人が物品をより視覚的に魅力的形態に調節することを要求し得る。本明細書に説明されるいくつかの実施形態では、本調節は、別個および離散位置を画定された距離だけ離して画定する複数のコンパートメントの存在によって、排除される、または最小限にされる。
【００６８】
アセンブリ、デバイス、および方法の図示される実施形態を含む、実施形態の前述の説明は、例証ならびに説明の目的のために提示され、包括的であること、または本発明を開示される精密な形態に限定することを意図するものではない。その多数の修正、適応、および使用が、本発明の範囲から逸脱することなく、当業者に明白となるであろう。
【図１】
0006784751.tif 000002
【図２】
0006784751.tif 000003
【図３】
0006784751.tif 000004
【図４】
0006784751.tif 000005
【図５】
0006784751.tif 000006
【図６】
0006784751.tif 000007
【図７】
0006784751.tif 000008
【図８】
0006784751.tif 000009
【図９】
0006784751.tif 000010
【図１０】
0006784751.tif 000011